(57)【要約】【課題】突風や強風などの風圧を受けた際にも安全性が十分に確保される屋外用シート構造物を提供する。【解決手段】シート部材本体１０と、このシート部材本体１０の外縁部に、接着層によって接着された固定用部材１１と、を備え、この固定用部材１１は、複数の、少なくとも一の係合部１５を有する補強部材１３と、折り畳まれて、折り畳まれた部分に挟まれるように補強部材１３を内包し、折り畳まれて重なり合った部分が互いに接着されたシート体からなる固定用部材本体１７と、を有する、防護シート（屋外用シート構造物）１００。【選択図】図１
2020159030.tif 000002
【特許請求の範囲】
【請求項１】
シート部材本体と、
前記シート部材本体の外縁部に、接着層を介して固定された固定用部材と、を備え、
前記固定用部材は、複数の、少なくとも一の係合部を有する補強部材と、折り畳まれて、折り畳まれた部分に挟まれるように前記補強部材を内包し、折り畳まれて重なり合った部分が互いに接着されたシート体からなる固定用部材本体と、を有する、屋外用シート構造物。
【請求項２】
前記固定用部材本体は、両端部をずらして折り畳まれ、折り畳まれた部分に挟まれるように前記補強部材を内包し、折り畳まれて重なり合った部分が互いに接着されたシート体からなり、
前記固定用部材本体は、前記シート体が折り畳まれて重なり合った部分に対して反対側の端縁に前記接着層が配置され、前記接着層が配置された部分と、前記シート体が折り畳まれて重なり合った部分との間に緩衝領域を有する、請求項１に記載の屋外用シート構造物。
【請求項３】
前記接着層の引張せん断強度が、１００〜８００Ｎ／ｃｍである、請求項１または２に記載の屋外用シート構造物。
【請求項４】
前記接着層の幅は、１０〜４５ｍｍである、請求項１〜３のいずれか一項に記載の屋外用シート構造物。
【請求項５】
前記補強部材は、板状の部材であり、前記補強部材のそれぞれには、前記係合部として複数の貫通孔が形成され、
前記固定用部材本体には、前記補強部材の前記係合部が形成された位置に貫通孔が形成されている、請求項１〜４のいずれか一項に記載の屋外用シート構造物。
【請求項６】
前記係合部を介して外部に固定された状態で前記シート部材本体が竜巻の風圧を受けると、当該シート部材本体の全部が前記固定用部材から剥がれ、前記固定用部材は前記係合部を介して外部に固定された状態が維持される、請求項１〜５のいずれか一項に記載の屋外用シート構造物。
【発明の詳細な説明】
【技術分野】
【０００１】
本発明は、屋外用シート構造物に関する。更に詳しくは、突風や強風などのような大きな風圧を受けた際にも安全性が十分に確保された屋外用シート構造物に関する。
【背景技術】
【０００２】
従来、テントの天幕、ビニールハウスの骨組みに展張されるシート、トンネルなどのコンクリート構造物からのコンクリート片の剥落を防止するためのシート（「防護ネット」などとも呼ばれる）などのように屋外で様々なシート（「屋外用シート構造物」という）が使用される。
【０００３】
このような屋外用シート構造物は、屋外で使用されるものであるため、風による影響が問題となることがある。例えば、テントの場合、突風や強風などによって天幕が大きな風圧を受けると、テントが転倒したり、金属製などの骨組みと共にテント全体が吹き飛ばされたりすることがある。このように転倒したり、吹き飛ばされたりしたテント（特に、テントの骨組み）が人や物に接触すると、人が負傷したり、物が破損したりするという問題が報告されている。
【０００４】
このような問題に対して、例えば、天幕が突風や強風などによる大きな風圧を受けると、この天幕がテントの骨組みから外れて、骨組みは飛ばされない構造としたテント（特許文献１参照）や、天幕が突風や強風などの大きな風圧を受けた場合に、天幕の一部が開口し、この開口から突風や強風などによる風圧を逃がすことでテントが吹き飛ばされることを防止したもの（特許文献２参照）などが知られている。
【先行技術文献】
【特許文献】
【０００５】
【特許文献１】特開２００２−１８０７０１号公報
【特許文献２】特開２００４−１４３８０９号公報
【発明の概要】
【発明が解決しようとする課題】
【０００６】
しかしながら、特許文献１に記載の組立式テントは、突風や強風などによって天幕が吹き飛ばされると、この天幕と一緒にテントの骨組みに嵌合されていたフックも吹き飛ばされることになる。そして、このように天幕と一緒にフックも飛ばされた場合、このフックが人や物に当たって人が負傷したり、物が破損したりするおそれがある。特に、天幕が吹き飛ばされるような突風や強風の場合には、その力は非常に強く、小さなフックであっても大きな被害を生じさせるおそれがある。
【０００７】
特許文献２に記載の野外テントは、強風などの風圧によってシート状の蓋が自動的に開口するものである。この野外テントでは、シート状の蓋が自動的に開口することによって天幕やテント全体が吹き飛ばされることを防止したものである。一方で、この野外テントは、シート状の蓋が開口することによって天幕が吹き飛ばないようにした構造であるが、この野外テントは、シート状の蓋が天幕に固着されているため、当該蓋が舟の帆のような働きをして、風圧によってテントが転倒したり、テント全体が吹き飛ばされたりするという問題がある。
【０００８】
このように、特許文献１、２に記載のテントでは、突風や強風などの風圧の大きな風を受けた際の安全性が未だ十分に確保されていなかった。そして、このような問題は、テントに限らず、ビニールハウスなどのように屋外で使用され、シートを備える様々なものにおいて共通している。
【０００９】
このようなことから、突風や強風などの風圧の大きな風を受けた際における安全性が十分に確保された屋外用シート構造物の開発が求められていた。
【００１０】
本発明は、このような従来技術の有する問題点に鑑みてなされたものである。本発明の屋外用シート構造物は、突風や強風などの風圧の大きな風を受けた際における安全性が十分に確保され、人を負傷させたり物を破損したりすることが生じ難いものである。
【課題を解決するための手段】
【００１１】
本発明によれば、以下に示す屋外用シート構造物が提供される。
【００１２】
［１］  シート部材本体と、
前記シート部材本体の外縁部に、接着層を介して固定された固定用部材と、を備え、
前記固定用部材は、複数の、少なくとも一の係合部を有する補強部材と、折り畳まれて、折り畳まれた部分に挟まれるように前記補強部材を内包し、折り畳まれて重なり合った部分が互いに接着されたシート体からなる固定用部材本体と、を有する、屋外用シート構造物。
【００１３】
［２］  前記固定用部材本体は、両端部をずらして折り畳まれ、折り畳まれた部分に挟まれるように前記補強部材を内包し、折り畳まれて重なり合った部分が互いに接着されたシート体からなり、
前記固定用部材本体は、前記シート体が折り畳まれて重なり合った部分に対して反対側の端縁に前記接着層が配置され、前記接着層が配置された部分と、前記シート体が折り畳まれて重なり合った部分との間に緩衝領域を有する、前記［１］に記載の屋外用シート構造物。
【００１４】
［３］  前記接着層の引張せん断強度が、１００〜８００Ｎ／ｃｍである、前記［１］または［２］に記載の屋外用シート構造物。
【００１５】
［４］  前記接着層の幅は、１０〜４５ｍｍである、前記［１］〜［３］のいずれかに記載の屋外用シート構造物。
【００１６】
［５］  前記補強部材は、板状の部材であり、前記補強部材のそれぞれには、前記係合部として複数の貫通孔が形成され、
前記固定用部材本体には、前記補強部材の前記係合部が形成された位置に貫通孔が形成されている、前記［１］〜［４］のいずれかに記載の屋外用シート構造物。
【００１７】
［６］  前記係合部を介して外部に固定された状態で前記シート部材本体が竜巻の風圧を受けると、当該シート部材本体の全部が前記固定用部材から剥がれ、前記固定用部材は前記係合部を介して外部に固定された状態が維持される、前記［１］〜［５］のいずれかに記載の屋外用シート構造物。
【発明の効果】
【００１８】
本発明の屋外用シート構造物は、シート部材本体と、このシート部材本体の外縁部に、接着層を介して固定された固定用部材と、を備えており、係合部を介して外部（支持物）に固定された状態で突風や強風などのような大きな風圧を受けると、シート部材本体の全部が固定用部材から剥がれて飛ばされ、固定用部材は飛ばされずに残る。そのため、突風や強風などのような大きな風圧を受けた際に、当該屋外用シート構造物が固定されている支持物ごと倒れたり支持物ごと吹き飛ばされたりすることが防止される。そして、倒れたり吹き飛ばされたりした支持物が人や物に接触することにより、人が負傷したり物が破損したりすることが防止される。従って、安全性が十分に確保される。
【図面の簡単な説明】
【００１９】
【図１】本発明の屋外用シート構造物の一実施形態を模式的に示す平面図である。
【図２】本発明の屋外用シート構造物の一実施形態における一部を拡大して模式的に示す部分拡大図である。
【図３】図２に示すＡ−Ａ’断面を模式的に示す断面図である。
【図４】図２に示すＢ−Ｂ’断面を模式的に示す断面図である。
【図５】本発明の屋外用シート構造物の一実施形態における使用状態を模式的に示し側方から見た説明図である。
【図６】本発明の屋外用シート構造物の一実施形態における使用状態を模式的に示し上方から見た説明図である。
【図７】本発明の屋外用シート構造物の一実施形態の使用状態における支持物を模式的に示し上方から見た説明図である。
【図８】本発明の屋外用シート構造物の他の実施形態における図４に対応する断面図である。
【図９】本発明の屋外用シート構造物の更に他の実施形態における図４に対応する断面図である。
【発明を実施するための形態】
【００２０】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２１】
（１）屋外用シート構造物：
本発明の屋外用シート構造物は、シート部材本体と、このシート部材本体の外縁部に、接着層を介して固定された固定用部材と、を備え、固定用部材は、複数の、少なくとも一の係合部を有する補強部材と、折り畳まれて、折り畳まれた部分に挟まれるように補強部材を内包し、折り畳まれて重なり合った部分が互いに接着されたシート体からなる固定用部材本体と、を有するものである。
【００２２】
この屋外用シート構造物は、上記構成を有することにより、係合部を介して外部に固定された状態でシート部材本体が突風や強風などのような大きな風圧を受けると、当該シート部材本体の全部が固定用部材から剥がれ、固定用部材は係合部を介して外部に固定された状態が維持されることになる。
【００２３】
より具体的には、本発明の屋外用シート構造物は、シート部材本体と、このシート部材本体の外縁部に、接着層を介して固定された固定用部材と、を備えており、係合部を介して外部（支持物）に固定された状態で突風や強風などのような大きな風圧を受けると、シート部材本体の全部が固定用部材から剥がれて飛ばされ、固定用部材は飛ばされずに残る。そのため、当該屋外用シート構造物が固定されている支持物ごと倒れたり支持物ごと吹き飛ばされたりすることが防止される。そして、倒れたり吹き飛ばされたりした支持物が人や物に接触することにより、人が負傷したり物が破損したりすることが防止される。従って、安全性が十分に確保される。
【００２４】
本発明の屋外用シート構造物は、具体的には、防護シート、テントの天幕、ビニールハウスの骨組みを展張するシートなどとして用いることができる。以下、各使用態様について具体的に説明する。
【００２５】
（１−１）防護シート：
本発明の屋外用シート構造物の一の実施形態としては、図１に示す防護シート１００がある。
【００２６】
従来、石、砂、火山灰などの飛来物などから、屋外に設置された設備などを防護する防護シート（または「防護ネット」とも呼ばれる）が知られている。例えば、原子力発電所などでは、その設備（被保護物）を防護するために防護ネットが使用されている。なお、原子力発電所に設置されている防護ネットは、「竜巻防護ネット」と呼ばれることがある。
【００２７】
そして、この防護シート（または防護ネット）は、具体的には、被保護物の周囲に設置された枠体の上方に形成された開口を覆うよう設置され、飛来物から被保護物を防護している。
【００２８】
しかしながら、例えば、原子力発電所の竜巻防護ネットは、被保護物の上方に張られた金網などであり、これにより石などの飛来物が被保護物に当たることが阻止されるが、例えば火山灰や雪等は通過してしまい、被保護物の上に火山灰や雪等が堆積してしまうという問題がある。そこで、このような問題を解決するために、火山灰や雪等を受けるためのシート（防護シート）を、更に、上述した枠体の上方に形成された開口に設置することが考えられる。しかし、この防護シートは、竜巻のような非常に大きな風圧を受けた際に枠体との連結部分（固定手段（例えば金属製の構造物））が破損するおそれがある。そして、その場合、防護シートが竜巻に煽られて、被保護物や人などに被害を与えるおそれがあった。また、竜巻のような非常に大きな風圧を受けた場合に、防護シートと枠体を固定する固定手段（例えば金属製の構造物）が破損し、防護シートが固定手段を伴って竜巻に吹き飛ばされ、人や物に衝突し、その結果、人が負傷したり物が破損したりするおそれがあった。特に原子力発電所などでは、安全性が非常に重要とされるため、このような問題のない防護シートの開発が切望されていた。なお、本発明の防護シートは、原子力発電所に限らず、屋外に設置された設備などを防護する防護シートとして用いることができる。
【００２９】
そこで、本発明の屋外用シート構造物を防護シートとして用いると、このような問題を解消することができる。
【００３０】
防護シート１００は、シート部材本体１０と、このシート部材本体１０の外縁部に、接着層２０を介して固定された固定用部材１１と、を備えている。固定用部材１１は、複数の、少なくとも一の係合部１５を有する補強部材１３と、折り畳まれて、折り畳まれた部分に挟まれるように補強部材１３を内包し、折り畳まれて重なり合った部分が互いに接着されたシート体からなる固定用部材本体１７と、を有している（図２〜図４参照）。
【００３１】
この防護シート１００は、係合部１５を介して外部（支持物２５（図５参照））に固定された状態でシート部材本体１０が竜巻のような大きな風圧を受けると、当該シート部材本体１０の全部が固定用部材１１から剥がれ、固定用部材１１は係合部１５を介して外部（支持物２５（図５参照））に固定された状態が維持される（固定用部材１１が破壊されずに支持物２５に残る）ことになる。
【００３２】
より具体的には、防護シート１００は、竜巻のような大きな風圧を受けた際に、当該防護シート１００が固定されている支持物２５（図５参照）ごと倒れたり支持物２５ごと吹き飛ばされたりすることが防止される。そして、倒れたり吹き飛ばされた支持物２５が人や物に接触して人が負傷したり物が破損したりすることを、防止することができる。従って、竜巻が発生するような緊急時の使用であっても安全性が十分に確保されるものである。
【００３３】
防護シート１００は、例えば、屋外に設置された設備（被保護物２７（図５参照））を、石、砂、火山灰などの飛来物などから防護するためのシートとして用いることができる。屋外に設置された設備としては、例えば、電気設備、気体が貯留されたタンク、薬剤などの液体が貯留されたタンク、復水器の復水タンクなどを挙げることができる。なお、原子力発電設備に用いられている復水器の復水タンクなどを防護する防護シートには、非常に高い安全性が求められる。そのため、竜巻が発生するような緊急時であっても、安全性が十分に確保されることを重要となる。
【００３４】
防護シート１００は、火山灰など飛来物以外に、雪や雹などから被保護物２７を防護することができる。なお、雪は、被保護物に降り積もるとその重さによって被保護物２７が変形などすることがあり、防護シート１００で防護することも好ましい使用態様である。
【００３５】
なお、突風や強風などのような大きな風圧の風には、台風や竜巻が含まれる。ここで、本明細書において「竜巻」は、風速１００ｍ／秒程度である風の流れを意味し、「竜巻の風圧」は、このような風速１００ｍ／秒程度である風の流れによって生じる圧力のことをいう。
【００３６】
また、本発明の屋外用シート構造物である防護シートは、竜巻の風圧によってシート部材本体の全部が固定用部材から剥がれるが、台風による風圧では、シート部材本体が固定用部材から剥がれることはない。「台風」は、風速４０〜５０ｍ／秒程度である風の流れを意味する。
【００３７】
なお、防護シート１００のシート部材本体１０は、接着層２０によって固定用部材１１に固定されており、硬い構造物（例えばフックなど）を有していない。
【００３８】
（１−１ａ）シート部材本体：
シート部材本体１０は、石、砂、火山灰などの飛来物、雪や雹を受け止めるための部材である。飛来物などは、このシート部材本体１０に当たり被保護物２７と衝突することがない。また、火山灰、雪、雹などは、シート部材本体１０上に堆積することになり、被保護物に堆積物の重さが直接伝わることがない。
【００３９】
シート部材本体１０は、飛来物、雪、雹などから被保護物を防護することができるものである限りその材質に特に制限はないが、例えば、基布と、この基布の少なくとも一方の表面を被覆する樹脂層とを有する構造などのシート（即ち、樹脂被覆シート）を挙げることができる。また、樹脂層を有さないシート（基布のみからなるシート）であってもよい。基布としては、特に制限はなく、例えば、経糸及び緯糸などからなり複数の開口を有する織物シート、肉眼で視認できる程の開口を有さない経糸及び緯糸などからなる織物シート（即ち、開口率が非常に小さく、開口は肉眼での視認が困難である布など）、織られていない合成樹脂シートなどを適宜選択して採用することができる。
【００４０】
具体的には、樹脂被覆シートとしては、基布である織物シートとこの織物シートの表面を被覆する樹脂層と、を有し、複数の貫通孔が形成されたもの（メッシュシート）などを挙げることができる。このようなメッシュシートを用いると、飛来物、雪、雹などから被保護物を防護することができるとともに、複数の開口（「メッシュ開口」と記す場合がある）が形成されているため、シート部材本体１０上に積もった雪や雹が解けて水になった場合に、この開口（メッシュ開口）から排出されることになる。そのため、雪や雹が解けた後に、シート部材本体１０に水の重さが掛かり続けることを防止でき、水の重さによってシート部材本体１０と固定用部材１１との接着層２０が壊れてしまうこと（即ち、シート部材本体１０が固定用部材１１から剥がれること）などの不具合を防止できる。
【００４１】
なお、メッシュシートの開口率は、飛来することが想定されるものの大きさなどによって適宜設定することができる。例えば、火山灰のように粒子径が細かいものを飛来物として想定している場合には、メッシュシートの開口率を小さくし、石や砂のように火山灰よりも大きな粒子径のものを飛来物として想定している場合には、メッシュシートの開口率を大きくすることができる。メッシュシートの開口率を大きくすることで、雪や雹が解けた後の水が開口から良好に排出される。
【００４２】
織物シートとしては、例えば、ポリエステル、ナイロン、ビニロン、ポリプロピレンなどのポリマーからなる合成繊維、または天然繊維を縦糸及び緯糸とするメッシュ状の織物シート（複数のメッシュ開口を有するシート）などを挙げることができる。なお、織物シートとしては、上述の通り、開口（メッシュ開口）を形成しないように織られたもの（布など）も挙げることができる。
【００４３】
樹脂層としては、例えば、ポリ塩化ビニル（ＰＶＣ）、ポリウレタン、ゴム、シリコーンなどからなる樹脂からなる層を挙げることができる。
【００４４】
シート部材本体１０は、引張強度を、２００〜１２００Ｎ／ｃｍとすることができ、３００〜１０００Ｎ／ｃｍとすることが好ましい。このような引張強度の範囲とすることにより、飛来物、雪、雹などから被保護物を良好に防護することができる。シート部材本体１０の引張強度は、ＪＩＳ  Ｋ  ６４０４−２に準拠して測定することができる。
【００４５】
シート部材本体１０の形状は、特に制限はなく被保護物の形状によって適宜設定することができ、例えば、三角形状、四角形状（例えば、正方形状、長方形状、台形、平行四辺形、ひし形など）、円形状、楕円形状、六角形状なとどすることができる。
【００４６】
シート部材本体１０の大きさは、被保護物の大きさによって適宜設定することができ、例えば、上述した復水器の復水タンクを防護する場合には、四角形状のシート部材本体を用いることができ、その１辺の長さを３〜１０ｍとすることができる。
【００４７】
シート部材本体１０の厚さは、特に制限はないが、例えば、０．１〜１０ｍｍとすることができ、０．３〜５ｍｍとすることが好ましい。シート部材本体１０の厚さが下限値未満であると、飛来物、雪、雹などの衝撃や重さによって破損するおそれがある。上記厚さが上限値超であると、シート部材本体１０を折り畳み難くなって嵩張るため、保管時のスペースが大きくなってしまうおそれがある。
【００４８】
（１−１ｂ）固定用部材：
固定用部材１１は、シート部材本体１０の外縁部に、接着層２０を介して固定された部材である。即ち、固定用部材１１は、シート部材本体１０の外縁部に、接着剤によって接着されている。この固定用部材１１は、シート部材本体１０の外縁部の全部に固定されてもよいし、一部に固定されてもよい。図１は、環状の固定用部材１１が、シート部材本体１０の外縁部の全部に固定されている例を示している。図１では、シート部材本体１０の外縁部（外周縁側にある領域）と環状の固定用部材１１の内縁部（内周縁側にある領域）とが接着剤によって互いに接着されている。なお、図１では、環状の固定用部材１１を示しているが、シート部材本体１０の各辺に対応する４つの棒状の部材（固定用部材）を用いても良い。
【００４９】
固定用部材１１の幅Ｗ１（図３参照）は、特に制限はないが、固定用部材１１の幅Ｗ１が狭すぎると、緩衝領域２４の幅を十分に確保することができないという不具合が生じるおそれがある。固定用部材１１の幅Ｗ１が広すぎると、シート部材本体１０の面積が小さくなることになり、シート部材本体１０が竜巻の風圧を受けたときに、シート部材本体１０の全部が固定用部材１１から剥がれ難くなるという不具合が生じるおそれがある。「固定用部材の幅Ｗ１」は、接着層２０の延びる方向と直交する方向における固定用部材１１の長さをいう。
【００５０】
固定用部材１１の幅Ｗ１は、具体的には、５０〜５００ｍｍとすることができ、１００〜３００ｍｍとすることが好ましい。
【００５１】
固定用部材１１は、複数の、少なくとも一の係合部１５を有する補強部材１３と、折り畳まれて、折り畳まれた部分２９に挟まれるように補強部材１３を内包し、折り畳まれて重なり合った部分２３が互いに接着されたシート体からなる固定用部材本体１７と、を有している。
【００５２】
この固定用部材１１は、図５、図６に示すように、補強部材１３の係合部１５に固定具３１（固定手段）が係合され、支持物２５に連結される。ここで、固定具３１は、シート部材本体１０が竜巻のような非常に強い風圧を受けたとしても、破損することがなく、固定力（固定用部材１１と支持物２５とを連結する力）が維持されるものである。従って、シート部材本体１０が竜巻の風圧を受けたときに、シート部材本体１０の全部が固定用部材１１から剥がれ、補強部材１３のように硬いものを含む固定用部材１１は破損せずに支持物２５に残る（連結状態が維持される）ことになる。そのため、竜巻が発生するような緊急時の使用であっても安全性が十分に確保されることになる。
【００５３】
固定用部材１１とシート部材本体１０は、接着層２０を介して互いに固定されている。即ち、固定用部材１１とシート部材本体１０は、接着剤によって接着されているということもできる。ここで、例えば、固定用部材１１とシート部材本体１０の接着部分では、固定用部材１１の上に接着層２０があり、この接着層２０の上にシート部材本体１０が配置された構造とすることができる。また、固定用部材１１とシート部材本体１０の接着部分では、シート部材本体１０の上に接着層２０があり、この接着層２０の上に固定用部材１１が配置された構造とすることでもよい。但し、シート部材本体１０を、補強部材１３のように固定用部材１１で挟む構造は、引張強度が強くなり過ぎて竜巻の風圧によってシート部材本体１０の全部が剥がれ難くなる場合があるため好ましくない。
【００５４】
そして、この接着層２０は、係合部１５を介して防護シート１００が外部（支持物２５）に固定された状態でシート部材本体１０が竜巻の風圧を受けたときに、接着力の限界（引張せん断強度の上限）を超えるものである。その結果、シート部材本体１０の全部は、固定用部材１１から剥がれることになる。接着層の引張せん断強度は、１００〜８００Ｎ／ｃｍとすることができる。なお、接着層の引張せん断強度は、ＪＩＳ  Ｋ  ６４０４−２に準拠して測定した値である。
【００５５】
接着層２０を形成する接着剤としては、特に制限されるものではなく、シート部材本体１０の表面の材質（具体的には、基布（布、織物シートなど）や樹脂層の材質）によって適宜選択することができる。接着層２０を形成する接着剤としては、例えば、ウレタン樹脂系接着剤、エポキシ樹脂系接着剤、シリコーン樹脂系接着剤、変性シリコーン樹脂系接着剤、エポキシ・変性シリコーン樹脂系接着剤、アクリル樹脂系接着剤、酢酸ビニル樹脂系接着剤、塩化ビニル系接着剤、クロロプレンゴム系接着剤、ニトリルゴム系接着剤などの溶剤型接着剤又はエマルジョン型接着剤、ホットメルト型接着剤、シアノアクリレート系接着剤などの瞬間接着剤などを挙げることができる。
【００５６】
接着層２０の幅Ｗ３（図２、図３参照）は、シート部材本体１０が竜巻の風圧を受けたときに、当該シート部材本体１０の全部が固定用部材１１から剥がれる限り特に制限はないが、１０〜４５ｍｍとすることができ、１５〜４０ｍｍとすることが好ましく、２０〜３５ｍｍとすることがより好ましい。「接着層の幅Ｗ３」は、シート部材本体１０から固定用部材１１に向かう方向の長さである。なお、接着層２０の厚さは、特に制限はない。
【００５７】
（ａ）補強部材：
補強部材１３は、固定用部材１１の強度を補強するための部材であり、この補強部材１３によって、シート部材本体１０が竜巻の風圧を受けたときに、シート部材本体１０はその全部が固定用部材１１から剥がれるが、固定用部材１１は係合状態が維持されて支持物２５に残ることになる。そのため、竜巻が発生するような緊急時の使用であっても安全性が十分に確保される。ここで、シート部材本体１０が竜巻の風圧を受けたときに、固定用部材１１も支持物２５から離れる方向の力が掛かるが、補強部材１３が無い場合、固定用部材１１が破損してしまう不具合がある。また、補強部材１３に代えて「鳩目（環状の金具）」を使用した場合、シート部材本体１０が台風の風圧を受けたときに、その荷重によって鳩目が固定用部材本体１７から外れてしまう（固定用部材１１が破損する）という不具合がある。なお、鳩目が固定用部材本体１７から外れてしまうという不具合の対策として、鳩目の数を増やすことが考えられるが、この場合、作業工数が増えたり、コストが高くなってしまったりする等の不具合が生じる。
【００５８】
補強部材１３の材質は、所定の硬さを有し、また、錆び難いものであることがよい。具体的には、金属、硬質樹脂などを挙げることができる。金属としては、例えば、アルミニウム、ステンレス鋼などを挙げることができ、硬質樹脂としては、例えば、メラミン系樹脂、塩化ビニル、フェノール系樹脂などを挙げることができる。防護シート１００の軽量化を図るためには、アルミニウムを用いることがよく、屋外で使用されるため錆び難いという点では、ステンレス鋼を用いることがよい。
【００５９】
補強部材１３の形状は、板状、棒状などを挙げることができる。
【００６０】
補強部材１３の大きさ（長さＬ１（図１参照））は、シート部材本体１０の一辺の長さと同じ程度とすることができる。即ち、この場合、例えば四角形状のシート部材本体１０であれば、その各辺に対応して１つの補強部材１３が配置され、その１つの補強部材１３の長さがシート部材本体１０の一辺の長さと同じ程度となる。また、補強部材１３の長さは、シート部材本体１０の一辺を分割して得られた長さとしてもよい。即ち、別言すれば、図１に示すように、シート部材本体１０の一辺に複数の補強部材１３が配置されるようにしてもよい。このようにすると、防護シート１００の保管や運搬の際に折り畳むことができ、保管スペースを小さくしたり、運搬し易くすることができる。シート部材本体１０の一辺に対応して複数の補強部材１３が配置される場合、隣り合う補強部材１３は、間隔を開けて配置されることがよい。
【００６１】
補強部材１３は、少なくとも一の係合部１５を有する（即ち、複数の補強部材１３はそれぞれが、少なくとも一の係合部１５を有している）。この係合部１５には、固定具３１（図５、図６参照）などの固定手段が係合される。即ち、防護シート１００は、係合部１５に係合された固定具３１などの固定手段を介して支持物２５に連結されて固定される。固定具３１としては、例えば、カラビナ、ワイヤ、ロープ、シャックル、ボルト、針金などを挙げることができる。
【００６２】
係合部１５は、固定手段と係合して防護シート１００を支持物に固定できる構造である限り特に制限はないが、例えば、貫通孔（係合孔）、凹部（貫通していない穴）、凸部などを挙げることができる。
【００６３】
各補強部材１３に形成される係合部１５は、具体的には、複数個とすることができる。このように、複数の係合部１５が形成されていると、シート部材本体１０が竜巻の風圧を受けたときに、固定用部材１１が支持物２５から離れる方向の外力が掛かった場合、この外力が各係合部１５を介して補強部材１３全体にバランスよく伝わるため、固定用部材１１が破損してしまうことが防止される。ここで、各補強部材１３に一つの係合部１５が形成されているだけである場合、上述した鳩目を使用した場合のように、固定用部材１１が破損してしまうおそれがある。
【００６４】
補強部材１３は、板状の部材であることが好ましく、この補強部材１３のそれぞれには、係合部１５として複数の貫通孔が形成されていることが好ましい。このように係合部１５として貫通孔を設けると、凹部である場合に比べて、固定具３１などの固定手段を係合した際に当該固定手段が係合部１５からずれることを防止できる。なお、係合部１５として貫通孔が形成されている場合、固定用部材本体１７には、補強部材１３の係合部１５が形成された位置に貫通孔３３（図３参照）が形成されていることが好ましい。このようにすると、貫通孔３３が形成されていない場合に比べて、固定具３１などの固定手段を係合部１５に係合する作業が簡単になる。
【００６５】
板状の補強部材１３は、その厚みについて特に制限はないが、３〜５０ｍｍとすることができ、５〜２５ｍｍとすることが好ましい。強度を確保しつつ屋外用シート構造物（防護シート）の厚みが厚くなり過ぎることを防止できる。また、板状の補強部材１３の幅Ｗ２についても特に制限はないが、２５〜７５ｍｍとすることができ、３０〜７０ｍｍとすることが好ましく、３５〜６５ｍｍとすることが更に好ましい。上記幅Ｗ２が下限値未満であると、補強部材１３の強度が低下してしまうおそれがある。上記幅Ｗ２が上限値超であると、屋外用シート構造物（防護シート）を保管や運搬する際に折り畳み難くなるおそれがある。また、屋外用シート構造物（防護シート）が重くなり過ぎるおそれがある。
【００６６】
複数の補強部材１３の、固定用部材１１の幅Ｗ１（図３参照）の方向の位置は、特に制限はないが、折り畳まれたシート体の稜線Ｒ（図２参照）に沿って配置されることが好ましい。別言すれば、固定用部材本体１７を構成するシート体を補強部材１３に巻き付けるようにして内包することが好ましい。補強部材１３が、折り畳まれたシート体の稜線から離れた位置に配置された場合、固定用部材１１が支持物２５から離れる方向の外力が掛かった際に、補強部材１３が固定用部材１１内を移動することになり、その際に固定用部材本体１７が破損するおそれがある。
【００６７】
更に、固定用部材１１の長さ方向（固定用部材の幅方向と直交する方向）に隣り合う補強部材１３は、上述の通り間隔を設けて配置されることがよい。この間隔は特に制限はない。即ち、補強部材１３が板状や棒状である場合、上記隣り合う補強部材１３の間隔は、補強部材１３の長さと同じとしてもよいし、異なる長さとすることができる（即ち、短くしたり長くしたりすることができる）。このように隣り合う補強部材１３について間隔を開けて配置すると、上述の通り、その間隔が開いた部分で防護シート１００を容易に折り曲げることができるため、防護シート１００を小さく畳むことができ、保管時のスペースが小さくなり、また、輸送が容易になる。
【００６８】
（ｂ）固定用部材本体：
固定用部材本体１７は、折り畳まれたシート体からなる。具体的には、固定用部材本体１７は、折り畳まれて、折り畳まれた部分に挟まれるように補強部材１３を内包し、折り畳まれて重なり合った部分が互いに接着されたシート体からなる。この固定用部材本体１７は、両端部（端部１９、１９）を揃えて折り畳んでも良いし（図８参照）、図３、図４に示すように両端部（端部１９、１９）をずらして折り畳んでもよい。
【００６９】
シート体は、シート部材本体１０と同じものを採用することができる。
【００７０】
図２〜図４には、両端部（端部１９、１９）をずらして折り畳んだシート体からなる固定用部材本体１７を示している。このように両端部（端部１９、１９）をずらして折り畳んだ場合、固定用部材本体１７は、図２〜図４に示すように、シート体が折り畳まれて重なり合った部分２３に対して反対側の端縁に接着層２０が配置され、接着層２０が配置された部分２１と、シート体が折り畳まれて重なり合った部分２３との間に緩衝領域２４を有する態様とすることができる。この緩衝領域２４を有することによって、保管時や輸送時などに防護シート１００を折り畳んだ際に固定用部材１１に皺が発生し、この皺によって接着層２０が破損して固定用部材１１からシート部材本体１０が剥がれることを防止することができる。つまり、防護シート１００を折り畳むと、固定用部材１１に皺が発生することがある。そして、この皺によって接着層２０の一部に接着層２０を壊すような力が生じ、これによって接着層２０が破損されることがあるが、緩衝領域２４を有することによって、このような皺の発生を防止することができる。
【００７１】
なお、両端部（端部１９、１９）をずらして折り畳んだ場合、図９に示すように、緩衝領域２４を有しない態様としてもよい。この場合は、緩衝領域２４を有しない態様である図８と比べて接着層２０の部分の厚さが薄くなるため、防護シート１００における接着層２０の部分の柔軟性が高くなり、接着層２０が破損し難くなる。
【００７２】
緩衝領域２４を有する場合、その幅Ｗ４（図３参照）は、２５〜７５ｍｍとすることができ、３０〜７０ｍｍとすることが好ましく、３５〜６５ｍｍとすることが更に好ましい。このような範囲とすることにより、防護シート１００を折り畳んだ際に固定用部材１１に皺が発生し難くなり、また、仮に皺が発生したとしても接着層２０を破損するようなものではなくなる。「緩衝領域の幅」は、シート体が重なり合った部分から接着層に向かう方向における緩衝領域の長さをいう。
【００７３】
（１−２）防護シートの使用方法：
図５、図６には、本発明の屋外用シート構造物を防護シート１００として使用した場合の使用方法を示す。
【００７４】
使用者は、四角形状の防護シート１００における固定用部材１１の係合部１５のそれぞれに固定具３１（固定手段）を係合させ、その後、固定具３１を、更に防護シート１００を固定するための支持物２５に設置された固定材３５（例えば、図５、図６のようにワイヤなど）に係合させ、防護シート１００と支持物２５とを連結させる。このように、被保護物２７（例えば、屋外に設置された電気設備や気体が貯留されたタンク、薬剤などの液体が貯留されたタンク）の上方に配置して、飛来物などから被保護物２７を保護することができる。
【００７５】
具体的には、図５、図６では、被保護物２７の周囲に設けられた支持物２５（以下、「枠体２５」と記す場合がある）の上面（被保護物２７の上方）に防護シート１００を配置し、飛来物などから被保護物２７を保護している。支持物２５としては、例えば、図５、図６に示すように、金属製の骨組みからなるものがある。
【００７６】
枠体２５は、４本の支柱３７と、これらの支柱３７の端部において、隣り合う支柱３７を繋ぐ４本の連結柱３９と、から構成されており、上方に開口（上方開口４１）（図７参照）が形成されている。そして、枠体２５には、上方開口４１を覆うように金網４３が配置されている（図７参照）。この金網４３は、必要に応じて設置されるものであり、設置しなくてもよいが、金網４３が設置されることによって、この金網４３の更に上方に防護シート１００を配置した場合、防護シート１００に雪や火山灰が降り積もりその重さによって防護シート１００が撓んだ際にも、金網４３によって防護シート１００が支持されることになる。そのため、雪や火山灰の重さによって防護シート１００が破損してしまうことを防止することができる。
【００７７】
なお、図５〜図７では、枠体２５には、１つの上方開口４１が示されているが、複数の上方開口４１が形成されていてもよい。このように複数の上方開口４１が形成されている場合、１枚の防護シート１００によって全ての上方開口４１を覆っても良いが、上方開口４１ごとに防護シート１００を配置して上方開口４１を覆うようにしてもよい。
【００７８】
また、図５〜図７では、防護シート１００によって上方に形成された上方開口４１を覆っているが、枠体２５の側方の開口（即ち、隣り合う２つの支柱３７の間の空間）の一部または全部を防護シート１００によって覆うことでも良い。このようにすることで、被保護物２７の側方からの飛来物などが被保護物２７に衝突することを防止できる。
【００７９】
図５、図６に示すように支持物２５に固定された状態の防護シート１００は、そのシート部材本体１０が竜巻の風圧を受けると、当該シート部材本体１０の全部が固定用部材１１から剥がれる。即ち、シート部材本体１０の一部が固定用部材１１から剥がれずに残ることがない。一方で、固定用部材１１は、竜巻の風圧によって破壊されずに支持物２５に残る。そして、シート部材本体１０は、固定用部材１１から剥がれて吹き飛ばされた場合、シート部材本体１０には、固定用部材１１との固定具などの硬いものが取り付けられていないため、シート部材本体１０が人や物に接触しても、人を負傷させたり物を破損させたりするという事態が生じ難く安全である。ここで、シート部材本体１０の一部が固定用部材１１から剥がれずに残ると、竜巻などの大きな風に煽られたシート部材本体１０が人や物に接触し、人を負傷させたり物を破損させたりするという不具合が生じるおそれがある。
【００８０】
固定具３１は、防護シート１００とワイヤなどの固定材３５とを連結し、防護シート１００を固定材３５（即ち、支持物２５ということもできる）に固定することができる限り特に制限はないが、例えば、カラビナ、ワイヤ、ロープ、シャックル、ボルト、針金などを挙げることができる。
【００８１】
固定手段としては、防護シート１００と支持物２５と固定することができる限り、上記固定具３１以外にも採用することができ、図６に示す固定具３１は支持物２５や固定材３５と別体であるが、支持物２５や固定材３５と一体に形成されたものであってもよい。
【００８２】
（１−３）テント：
本発明の屋外用シート構造物の他の実施形態としては、テントの天幕がある。この天幕は、上述した防護シート１００と同様の構成を有しているものである。
【００８３】
この天幕を用いると、突風や強風などのような大きな風圧を受けた際に、テントごと倒れたり、天幕と共にテントが吹き飛ばされたりして、人が負傷したり物が破損したりすることを防止できる。また、天幕のみが吹き飛ばされて、この天幕に取り付けられた硬い構造物（例えばフックなど）などによって、人が負傷したり物が破損したりすることを防止できる。このように、その使用に際して安全性が十分に確保されたものである。
【００８４】
より具体的には、運動会で使用されるテントは、突風や強風などによってテントが転倒したり、天幕の一部がテントの骨組みから外れない状態で天幕が竜巻などに煽られたりして、煽られた天幕が人や物に接触し、人を負傷させたり物を破損させたりするという問題が生じることがある。このような問題に対しても、本実施形態の屋外用シート構造物（即ち、天幕）は、突風や強風の風圧によってシート部材本体の全部が固定用部材から剥がれ、一方で、固定用部材は、竜巻の風圧によって破壊されずに支持物に残る。このようなことから、テントが転倒したり、天幕の一部がテントの骨組みから外れずに突風や強風に煽られたりするという危険性が少ない。そのため、本実施形態の屋外用シート構造物（即ち、天幕）は、その使用に際して安全性が十分に確保されたものである。
【００８５】
次に、本発明の屋外用シート構造物をテントの天幕（テント用天幕）として使用した場合の使用方法を示す。
【００８６】
使用者は、四角形状のテント用天幕における固定用部材の係合部のそれぞれに固定具を係合させ、その後、固定具をテント用天幕の支持物（具体的には骨組み）に係合させ、テント用天幕と支持物とを連結させる。このようにして、テントを形成することができ、このテントは、例えば、運動会などで使用する従来のテントと同様に利用することができる。
【００８７】
なお、支持物に固定された状態のテント用天幕は、そのシート部材本体が突風や強風などの風圧を受けると、当該シート部材本体の全部が固定用部材から剥がれる。即ち、シート部材本体の一部が固定用部材から剥がれずに残るということはない。そして、シート部材本体は、固定用部材から剥がれて吹き飛ばされた場合、シート部材本体には、固定用部材との固定具などの硬いものが取り付けられていないため、シート部材本体が人や物に接触しても、人を負傷させたり物を破損させたりするという事態が生じ難く安全である。
【００８８】
（１−４）ビニールハウス：
本発明の屋外用シート構造物の更に他の実施形態としては、ビニールハウスの骨組み（躯体）に展張されるシート（展張シート）がある。この展張シートは、上述した防護シート１００と同様の構成を有しているものである。
【００８９】
このビニールハウスの展張シートは、突風や強風などのような大きな風圧を受けた際に、ビニールハウスごと倒れたり、ビニールハウスが吹き飛ばされたりして、人が負傷したり物が破損したりすることを防止できる。また、この展張シートのみが吹き飛ばされて、この展張シートに取り付けられた硬い構造物（例えばフックなど）などによって、人が負傷したり物が破損したりすることを防止できる。このように、その使用に際して安全性が十分に確保されたものである。
【００９０】
次に、本発明の屋外用シート構造物をビニールハウスの展張シート（展張シート）として使用した場合の使用方法を示す。
【００９１】
使用者は、四角形状の展張シートにおける固定用部材の係合部のそれぞれに固定具を係合させ、その後、固定具を展張シートの支持物に係合させ、展張シートと支持物とを連結させる。このようにして、ビニールハウスを形成することができ、このビニールハウスは、農業用などの従来のビニールハウスと同様に利用することができる。
【００９２】
ここで、支持物に固定された状態の展張シートは、そのシート部材本体が突風や強風などの風圧を受けると、当該シート部材本体の全部が固定用部材から剥がれる。即ち、シート部材本体の一部が固定用部材から剥がれずに残るということはない。そして、シート部材本体は、固定用部材から剥がれて吹き飛ばされた場合、シート部材本体には、固定用部材との固定具などの硬いものが取り付けられていないため、シート部材本体が人や物に接触しても、人を負傷させたり物を破損させたりするという事態が生じ難く安全である。
【００９３】
なお、シート部材本体の一部が固定用部材から剥がれずに残ると、突風や強風などの大きな風に煽られたシート部材本体が人や物に接触し、人を負傷させたり物を破損させたりするという不具合が生じるおそれがある。
【産業上の利用可能性】
【００９４】
本発明の屋外用シート構造物は、屋外に設置された様々な設備を防護する防護シート、テントの天幕、ビニールハウスの骨組みを展張するシートなどとして利用することができる。
【符号の説明】
【００９５】
１０：シート部材本体、１１：固定用部材、１３：補強部材、１５：係合部、１７：固定用部材本体、１９：端部、２０：接着層、２１：接着層が配置された部分、２３：シート体が折り畳まれて重なり合った部分、２４：緩衝領域、２５：支持物（枠体）、２７：被保護物、２９：折り畳まれた部分、３１:固定具、３３：貫通孔、３５：固定材、３７：支柱、３９：連結柱、４１：上方開口、４３：金網、１００：防護シート、Ｌ１：補強部材の長さ、Ｒ：稜線、Ｗ１：固定用部材の幅、Ｗ２：板状の補強部材の幅、Ｗ３：接着層の幅、Ｗ４：緩衝領域の幅。
【図１】
2020159030.tif 000003
【図２】
2020159030.tif 000004
【図３】
2020159030.tif 000005
【図４】
2020159030.tif 000006
【図５】
2020159030.tif 000007
【図６】
2020159030.tif 000008
【図７】
2020159030.tif 000009
【図８】
2020159030.tif 000010
【図９】
2020159030.tif 000011